(57)【特許請求の範囲】
【請求項１】
避難用シェルターであって、
箱型の形状で、強化プラスチックで形成されたシェルター本体と、
出入口として気密性がある強化プラスチックのハッチとを有し、
前記ハッチが形成された側面とは反対側の側面に重しとなるウェイト部を形成し、
内側及び外側から開閉可能な採光窓を前記ハッチの近辺に設け、
前記ハッチのロック解除機構を前記採光窓側に設けたことを特徴とするシェルター。
【請求項２】
シェルター本体に設けられた排水口と換気口に、気密性のある蓋を取り付け可能としたことを特徴とする請求項１記載のシェルター。
【請求項３】
シェルター本体が、ユニットバスの外壁を構成し、
浴槽がウェイト部に接触するよう設けられていることを特徴とする請求項１又は２記載のシェルター。
【請求項４】
シェルター本体とハッチは、第１の繊維強化材、発泡体、第２の繊維強化材を積層した構造であることを特徴とする請求項１乃至３のいずれか記載のシェルター。
【請求項５】
発泡体には、硬質ウレタン、発泡スチロール、ポリエチレン、又はポリプロピレンを用いたことを特徴とする請求項４記載のシェルター。
【請求項６】
シェルター本体とハッチは、第１の繊維強化材、コア材、第２の繊維強化材を積層した構造であることを特徴とする請求項１乃至３のいずれか記載のシェルター。
【請求項７】
コア材には、ペーパーハニカム、又はアルミハニカムを用いたことを特徴とする請求項６記載のシェルター。
【請求項８】
第１の繊維系強化材には、ガラス繊維、カーボン繊維、アラミド繊維、バサルト繊維、又はバイオマス繊維を用いたことを特徴とする請求項４乃至７のいずれか記載のシェルター。
【請求項９】
第２の繊維系強化材には、ガラス繊維、カーボン繊維、アラミド繊維、バサルト繊維、又はバイオマス繊維を用いたことを特徴とする請求項４乃至７のいずれか記載のシェルター。
【発明の詳細な説明】
【技術分野】
【０００１】
本発明は、地震、崖崩れ、洪水、津波等の災害時のほか、紛争、テロ、事故等から被災者・被害者が避難するための避難用シェルターに係り、特に、強度があって水に浮き、脱出が容易な避難用シェルターに関する。
【背景技術】
【０００２】
［従来の技術］
記憶に新しい災害として、２０１１年３月１１日に発生した東北地方太平洋沖地震がある。崩れて来た屋根の下敷きになったり、崖崩れの土砂に埋もれたりして、人命が落されている。地震による津波は多くの人の命を奪った。原子力発電所の事故から身を守る手段が必要であることも認識された。さらに海外では、紛争やテロが多発しており、また、核開発に伴う災害リスクが増大している。
【０００３】
これらの様々な災害の中でも、地震発生時に、倒壊した家屋に押し潰されて圧死したり、あるいは、家屋や瓦礫等の落下物の下敷きとなって窒息死したりして、犠牲になるのを防止するための地震対策用の装置としては、例えば、特許文献１に開示された地震用シェルターが知られている。
【０００４】
特許文献１に記載されているような地震用シェルター（以下、「従来のシェルター」という）は、出入口を有するドーム本体から基本構成され、出入口を下側に配置したときにシェルターを構成するようになっている。従来のシェルターの本体は、強化プラスチック（ＦＲＰ［Fiber Reinforced Plastics］樹脂）製の外壁部と、発泡スチロール等の内壁部と、からなる二重構造になっている。
【０００５】
また、特許文献２に記載されている耐震用カプセル（以下、「従来のカプセル」という）は、従来のシェルターと同様の外観を備え、その本体は、内側から構造体と内部被覆と外部被覆とによって積層構成されている。
【０００６】
従来のカプセルの構造体は、強化繊維プラスチックの成形体からなる外殻と、金属製もしくは繊維強化プラスチック製のフレーム材からなる内部補強枠とから構成され、フレーム材同士の固定は、それぞれから内側に引き出されたフランジ部同士を、固定するボルトによって行うようになっている。
内部被覆は、耐火性ゴム発泡体などのクッション材よりなり、外部被覆は、内装と外装の積層構造になっている。この内装は、グラスウール、石膏ボード、耐火セメント、ロックウール等の耐火・耐熱性材料で形成されている。また、この外装は、難燃加工を施したゴム製の被覆材で構成されている。
【先行技術文献】
【特許文献】
【０００７】
【特許文献１】実用新案登録第３１４４７４６号公報（段落００３２〜００３４、図１）
【特許文献２】特許第４３２０３５８号公報（段落００１７〜００１８、図４）
【発明の概要】
【発明が解決しようとする課題】
【０００８】
しかしながら、上述した従来のシェルター及び従来のカプセルは、いずれもその強度と強度を保つための構造に問題があった。
すなわち、従来のシェルターは、強化プラスチックを採用しているものの、それを単層としただけであるから強度的に不十分である。層厚を厚くすれば強度が増すことは自明であるが、厚くすればするほど重くなり、また、加工性が低下しコスト高になってしまうので、実現性が極めて低い。発泡スチロール等からなる内壁部は、避難者との衝突による衝撃を和らげることを目的とするものであってシェルター自体の強度を高めるためのものではない。
【０００９】
従来のカプセルは、外殻と内部補強材を併用しているので、ある程度の強度が期待できるが、まず、構造が複雑であること、そして、内側に突き出したフランジ部を被覆するために内装に相応の厚みが必要となるため壁全体が厚くなってしまうという問題がある。
【００１０】
さらに、従来のシェルターも従来のカプセルは、災害等から人体を守るためにたいへん有用であるが、その一方で、平常時の置き場に困るのも現実である。万が一の備えをしたいが、平常時の生活空間も大事にしたい、という二律背反の要求を両立させることが、避難用シェルターによる身体保護という目的実現にとって考慮すべき問題である。
【００１１】
本発明は上記実情に鑑みて為されたもので、シンプルな構造でありながら、地震、水害、さらに紛争等が単独もしくは複合して発生した際に、確実な避難を可能とするために十分な強度を持った避難用シェルターを提供することを目的とする。
【課題を解決するための手段】
【００１３】
上記従来例の問題点を解決するための本発明は、避難用シェルターであって、箱型の形状で、強化プラスチックで形成されたシェルター本体と、出入口として気密性がある強化プラスチックのハッチとを有し、ハッチが形成された側面とは反対側の側面に重しとなるウェイト部を形成し、内側及び外側から開閉可能な採光窓をハッチの近辺に設け、ハッチのロック解除機構を採光窓側に設けたことを特徴とする。
【００１４】
本発明は、上記シェルターにおいて、シェルター本体に設けられた排水口と換気口に、気密性のある蓋を取り付け可能としたことを特徴とする。
【００１５】
本発明は、上記シェルターにおいて、シェルター本体が、ユニットバスの外壁を構成し、浴槽がウェイト部に接触するよう設けられていることを特徴とする。
【００１６】
本発明は、上記シェルターにおいて、シェルター本体とハッチは、第１の繊維強化材、発泡体、第２の繊維強化材を積層した構造であることを特徴とする。
【００１７】
本発明は、上記シェルターにおいて、発泡体には、硬質ウレタン、発泡スチロール、ポリエチレン、又はポリプロピレンを用いたことを特徴とする。
【００１８】
本発明は、上記シェルターにおいて、シェルター本体とハッチは、第１の繊維強化材、コア材、第２の繊維強化材を積層した構造であることを特徴とする。
【００１９】
本発明は、上記シェルターにおいて、コア材には、ペーパーハニカム、又はアルミハニカムを用いたことを特徴とする。
【００２０】
本発明は、上記シェルターにおいて、第１の繊維系強化材には、ガラス繊維、カーボン繊維、アラミド繊維、バサルト繊維、又はバイオマス繊維を用いたことを特徴とする。
【００２１】
本発明は、上記シェルターにおいて、第２の繊維系強化材には、ガラス繊維、カーボン繊維、アラミド繊維、バサルト繊維、又はバイオマス繊維を用いたことを特徴とする。
【発明の効果】
【００２３】
本発明によれば、箱型の形状で、強化プラスチックで形成されたシェルター本体と、出入口として気密性がある強化プラスチックのハッチとを有し、ハッチが形成された側面とは反対側の側面に重しとなるウェイト部を形成し、内側及び外側から開閉可能な採光窓をハッチの近辺に設け、ハッチのロック解除機構を採光窓側に設けた避難用シェルターとしているので、津波等の被害が発生してもウェイト部が下側に向き、ハッチが上側を向いて、救助しやすくできると共に、採光窓を外側から開けてハッチのロックを解除でき、救助しやすくできる効果がある。
【図面の簡単な説明】
【００２４】
【図１】ハッチが閉状態の本シェルターの正面図である。
【図２】本シェルターの背面図である。
【図３】ハッチが開状態の本シェルターの正面図である。
【図４】水中で姿勢を変更した状態の本シェルターの概略断面図である。
【図５】床板の平面図である。
【図６】フックの概略側面図である。
【図７】シェルター本体の積層構造を示す部分断面図である。
【図８】シェルター本体の製造方法を示すフロー図である。
【図９】シェルター本体の結合を示す部分断面図である。
【図１０】避難用シェルターシステムの概略図である。
【図１１】本積層構造の断面説明図である。
【図１２】車両にけん引される第２のシュエルターの側面図である。
【図１３】第２のシェルターの平面図である。
【図１４】第２のシェルターの背面図である。
【図１５】連結機構と解除機構を説明するための側面図である。
【図１６】第３のシェルター（ユニットバス型シェルター）の断面説明図である。
【図１７】ベッド型シェルター（第４のシェルター）の概略図である。
【図１８】第４のシェルターの断面説明図である。
【図１９】ベッド型シェルターの別の例（１）を示す概略図である。
【図２０】ベッド型シェルターの別の例（２）を示す概略図である。
【図２１】ベッド型シェルターの別の例（３）を示す概略図である。
【図２２】ベッド型シェルターの別の例（４）を示す概略図である。
【図２３】ベッド型シェルターの別の例（５）を示す概略図である。
【図２４】コンテナ型シェルター（第５のシェルター）の概略図である。
【図２５】コンテナ型シェルターの断面説明図である。
【図２６】コンテナ型シェルターの別の例を示す概略図である。
【発明を実施するための形態】
【００２５】
本発明の実施の形態について図面を参照しながら説明する。
［実施の形態の概要］
本発明の実施の形態に係る積層構造は、発泡体又はコア材を第１の繊維系強化材と第２の繊維系強化材で挟み込んで樹脂で接合して積層したものであり、発泡体として、硬質ウレタン、発泡スチロール、ポリエチレン、又はポリプロピレン等を用い、コア材として、ペーパーハニカム、アルミハニカム等を用い、繊維系強化材として、ガラス繊維、カーボン繊維、アラミド繊維、バサルト繊維又はバイオマス繊維等を用い、樹脂として、不飽和ポリエステル、ビニルエステル、エポキシ、フェノール、ポリイミド、バイオマス等を用い、Ｌ−ＲＴＭ（Light-Resin Transfer Molding）形成法又はインフュージョン形成法で製造されるものとしているので、避難用シェルターに使用できる強度を持った構造とすることができるものである。
【００２６】
本発明の実施の形態に係る避難用シェルターは、強化プラスチックの球形をしており、内部及び外部から開閉可能な採光窓をハッチの近辺に設け、ハッチのロック機構を採光窓側に設けたものであり、ハッチ開閉のためのヒンジの一端がシェルター本体の出入口の内側に接続し、そのヒンジの他端がハッチの内側面に接続されているものであり、外部から採光窓を開けてその近傍にあるロック機構を外部から解除できるので、救援作業を容易に行うことができ、ハッチが閉じられた状態ではヒンジがシェルター本体の内部に存在することになるため、ヒンジがシェルター本体の外部に設けられている構成よりも強固なものとすることができる。
【００２７】
［本積層構造：図１１］
本発明の実施の形態に係る積層構造（本積層構造）について図１１を参照しながら説明する。図１１は、本積層構造の断面説明図である。以下に説明する本シェルター及びその他のシェルターの本体に適用されるものであるが、本積層構造は、シェルター以外の住宅建造物、施設、建築物等の構造物について適用してもよい。
本積層構造は、図１１に示すように、発泡体又はコア材（発泡体等とする）３２を第１の強化材３１ａと第２の強化材３１ｂで挟み込んで、樹脂によって接合して積層したサンドウィッチ構造（積層構造）としたものである。
【００２８】
強化材３１ａ，３１ｂは、ガラス繊維、カーボン繊維、アラミド繊維、バサルト繊維又はバイオマス繊維等の繊維系の強化材を用いている。
発泡体等３２の発泡体は、硬質ウレタン、発泡スチロール、ポリエチレン、又はポリプロピレン等を用いている。
発泡体等３２のコア材は、ペーパーハニカム、アルミハニカム等を用いている。
樹脂は、不飽和ポリエステル、ビニルエステル、エポキシ、フェノール、ポリイミド、バイオマス等を用いている。
【００２９】
［本積層構造の製造方法］
本積層構造は、Ｌ−ＲＴＭ成形方法又はインフュージョン成形方法を用いて製造する。
本積層構造におけるＬ−ＲＴＭ成形方法は、下型に第２の強化材３１ｂ、発泡体等３２、第１の強化材３１ａを敷き詰め、上型を真空圧で型締めして、型内に樹脂を投入して成形するものである。
【００３０】
また、本積層構造におけるインフュージョン成形方法は、型に第２の強化材３１ｂ、発泡体等３２、第１の強化材３１ａを重ねて置き、その上に各種の基材を載せ、最上層にフィルムを被せ、フィルムとの間を真空に吸引した後に、液状の樹脂を樹脂吸引口から吸い込ませ、硬化した後に、各種基材とフィルムを剥がして形成品を取り出すものである。
【００３１】
本積層構造で、Ｌ−ＲＴＭ成形方法又はインフュージョン成形方法を用いるのは、金型を使わずＦＲＰ製の型が製造できるので、設備投資額が低く、プレス機を使用しないため大きさの制限がないなどの利点が得られるからである。
【００３２】
［本シェルターの設置：図１］
本発明の実施の形態に係る避難用シェルター（本シェルター又は第１のシェルター）について図１を参照しながら説明する。図１は、ハッチが閉状態の本シェルターの正面図である。
図１に示す本シェルター１は、地震発生時（または、予震発生時や、緊急地震速報装置のお知らせがあったとき）に直ぐに避難者Ａが、本シェルター１に入り込むことができるように、家屋内や庭の片隅等の適宜な場所に配置しておく。または、地震発生時やその他の災害時に崖崩れや、土砂崩れや、頭上から落下物が落下する危険性が予想される場所に配置してもよい。
【００３３】
さらに、本シェルター１は、水に浮くように形成されているため、津波や、洪水時の河川の氾濫が予想される場所に配置してもよい。本シェルター１は、全体が略球状でコンパクトに形成されたことによって、地震、崖崩れ、水害等の災害の際に、外圧や強い衝撃に耐えるのに適した形状的な強度を備えた構造になっている。つまり、本シェルター１は、球型シェルターである。
なお、上述した家屋内等の生活空間に本シェルター１を設置するスペースがない場合、使用者が生活空間に設置を望まない場合、その他事情がある場合は、後述する避難用シェルターシステムを設置することが好ましい。
【００３４】
［本シェルターの概略構造：図１〜４］
本シェルターの構造について図１〜４を参照しながら説明する。図２は、本シェルターの背面図であり、図３は、ハッチが開状態の本シェルターの正面図であり、図４は、水中で姿勢を変更した状態の本シェルターの概略断面図である。
本シェルター１は、図１〜図４に示すように、シェルター本体３と、出入口７と、ハッチ９と、フック１０と、固定構造１１と、ウェイト１３と、から基本構成されている。
設置台２１は、本シェルター１を、その上に設置しておくためのものである。設置台２１は、次に述べるように球体に構成された本シェルター１を安定設置しておくためのものであるが、不要であれば省略してもよい。
【００３５】
次に、本シェルターの各部について具体的に説明する。
［シェルター本体３の構造］
シェルター本体３は、強化プラスチック製で、全体としてほぼ球形であって、内部に避難空間５（図４）を備え、避難空間５は、外から水が浸入しないように水密閉鎖されている。水害によって流された場合等における避難空間５の安全確保のためである。
ここで、シェルター本体３とハッチ９は、ガラス繊維、カーボン繊維、アラミド繊維、バサルト（玄武岩）繊維又はバイオマス繊維（麻や竹などの天然繊維）等を不飽和ポリエステル、ビニルエステル、フェノール樹脂に含ませた強化プラスチックを用いている。特に、バサルト繊維は、玄武岩より溶融紡糸された環境にやさしい高強度の繊維であって、抗張力、耐熱性、耐紫外線性、耐酸・アルカリ性に優れ、アラミド繊維に匹敵する強度を有する。
【００３６】
シェルター本体３の形状をほぼ球形としたのは、シンプルかつ衝撃に強い形状だから、崩れてきた瓦礫等の下敷きになったとしても容易に壊れることがなく、避難空間５内に避難した避難者Ａを確実に守ることができるからである。
さらに、水害に遭った時に、押し流される瓦礫など引っかかって水没せずにすり抜けやすい形状だからである。
【００３７】
シェルター本体３の大きさは、一度に収容する避難者Ａの人数にもよって様々である。ただ、シェルター本体３を大きくすればその分、重量が増加し占有面積も増大するので、運搬や設置の手間を考え、数人用とするのが好ましい。数人用としておけば、平均的な家族全員が避難できる大きさである。避難は迅速に行われるべきであるが人数が多すぎると順番待ち現象が生じて迅速性が害されるので注意が必要である。上述した理由から、大家族の家庭に設置するのであれば、複数個の本シェルター１を設置することが好ましい。
【００３８】
［つかまり棒６］
図３に示すつかまり棒６は、避難空間５内の避難者Ａが、自分の体を保持するためにつかまるための棒である。つかまり棒６は、シェルター本体３の縦方向に延び、上下端それぞれがシェルター本体３の内壁に固定されている。
尚、つかまり棒６に、中空の金属（例えば、ステンレス等）製の棒（パイプ）を用いた場合に、強度を向上させるために、つかまり棒６の内部にモルタル等を詰めるようにしてもよい。
【００３９】
つかまり棒６は、避難者Ａが本シェルター１（シェルター本体３）の重心を移動させるためにシェルター本体３の内壁上を歩行する際に取っ手としても機能する。すなわち、シェルター本体３の重心を移動させようとする避難者Ａは、つかまり棒６につかまることにより、シェルター本体３内を歩行（膝立ち歩行や尻のずらし等を含む）するときの起点を確保することができる。起点を確保した避難者Ａは、確保がなければ難しいシェルター本体内の所望位置に足先や膝等を移動することが容易になる。これによって、シェルター本体３の重心を任意に制御することができる。つまり、シェルター本体３の姿勢を迅速かつ容易に任意の状態に保持することが可能になる。
【００４０】
［出入口７］
出入口７は、設置したときのシェルター本体３の側方に形成された円形の開口であって、避難者Ａが避難空間５内に避難したり退出したりするためのものである。したがって、出入口７の直径は、強度を極端に落とさず大人一人が出入り可能な寸法、たとえば、５００〜６００ミリメートル程度が好ましい。
また、出入口７の形状について、円形以外の形状を選択してもよいが、本実施形態では、応力集中を可及的に避けシェルター本体３の強度を保つために円形とした。また、強度確保のために出入口７は１個としてある。２個以上の出入口を設ける場合は、シェルター本体３の全体強度に留意し、必要に応じて補強構造を設けるとよい。
【００４１】
［出入口７周囲の補強］
出入口７は人が出入りするための空間であるから、外力が加わったときに変形が生じる恐れがまったくないというわけではない。そこで、本実施形態では、好ましい一態様として、シェルター本体３において避難空間５側の出入口７の周縁には、出入口７の周囲を囲む補強枠板４を貼着固定してある（図１、図４）。
補強枠板４が環状に形成してあるのは、出入口７が円形だからであり、出入口７が円形以外の形状であるなら、これに合わせた形状に形成するとよい。
【００４２】
補強枠板４は、２ｍｍ程度の鉄板で構成したが、他の金属や強化プラスチックなどで構成してもよい。
尚、補強枠板４は、シェルター本体３の内面側から取り付けて貼り付けるようにしているが、シェルター本体３の外側面と内側面との間の内部に形成してもよい。
さらに、出入口７の周りだけでなく、後述する採光窓１７、換気口１５等が取り付けられる孔の周りなどにも補強枠板を設けてもよい（図示は省略）。
【００４３】
［ハッチ９の構造，ヒンジ９ｂ］
図３及び図４に示すように、ハッチ９は、出入口７より僅かに大きな円形に形成され、シェルター本体３内に一端が固定されたヒンジ９ｂの他端に固定されている。ヒンジ９ｂの機能により、ハッチ９は、シェルター本体３に対し外開きに開放可能に出入口７を閉鎖するようになっている。
つまり、ヒンジ９ｂは、一端がシェルター本体３の出入口７の内側面周縁に固定され、他端がハッチ９の内側面周縁に固定されている。
また、ハッチ９の内側面周縁にリング状（環状）の凸形状の凸部を形成し、その凸部が出入口７に挿入されて噛み込む構造にしてもよい。凸部に厚みを持たせれば、ハッチ９の座屈防止の強化部品とすることができる。
【００４４】
［パッキン９ａ］
ハッチ９内側面周縁と出入口７の外側面周縁の間には、環状のパッキン９ａが介在され、閉鎖時に両者間の水密性をしっかりと保つように構成されている。パッキン９ａは、シェルター本体３側に固定してあるが、ハッチ９側に固定してもよいし、２つのパッキンを両者それぞれに固定するようにしてもよい。
【００４５】
［ロック機構９ｃ］
シェルター本体３の内部には、ロック機構９ｃが設けられていて（図３）、避難者Ａが内部から操作しハッチ９をシェルター本体３に対しロックもしくはその解除が行えるようになっている。
ロックしたとき、パッキン９との協働により、シェルター本体３とハッチ９との間の水密が砲保されることは言うまでもない。
【００４６】
［ハッチ９のその他の構成］
ハッチ９を構成する素材については別項で述べるが、その一部（たとえば、中央部分）を透明な合成樹脂や強化ガラスなどで構成してもよい。避難者Ａが外を見られるように、また、外部の光を避難空間５内へ導くことができるようにするためである。
シェルター本体３に取り付ける補強枠板４のような補強枠板（図示を省略）をハッチの内側（避難空間５側）に設けることも可能である。
【００４７】
［固定構造１１とウェイト］
［床板１１ａ：図４、図５］
シェルター本体３は、その設置時の底部上に、円板状の床板１１ａが固定されている（図４）。
床板１１ａについて図４，５を参照しながら説明する。図５は、床板の平面図である。
床板１１ａは、シェルター本体３の球状の内壁面を平面化し、その上で避難者Ａが膝を折ってしゃがめるようにするためのものである。床板１１ａには、開口１１ｂが形成されている。開口１１ｂは蓋１１ｄによって開放可能に閉鎖され、床板１１ａの下側に設けられた収納空間１１ｃの上部開口となっている。
【００４８】
［収納空間１１ｃ、蓋１１ｄ］
収納空間１１ｃ内には、飲料水の入ったペットボトル（液体容器、図４にＷと表示）を収納してある。このペットボトルは、シェルター本体３を設置状態に保つためのウェイトとしての役割を担っている。ペットボトルは、ウェイトとして必要重量を得るために複数本としてもよい。床板１１ａと収納空間１１ｃと、蓋１１ｄは、本実施形態におけるウェイト（ペットボトル）１３の固定構造１１を構成している。固定構造１１から取り出したペットボトルは、これを他の固定構造（収納空間、図示を省略）に移動させればシェルター本体３の重心を移動させることが可能になる。
蓋１１ｄは、床板１１ａの中心に対して左右に方形で形成されているが、床板１１ａの１／４の扇形状とし、図５の床板１１ａの上側半面に２つの１／４円の蓋を配置するようにしてもよい。この場合、床板１１ａの水平方向の直径部分で蓋が開閉可能に固定される。
【００４９】
［移動構造］
シェルター本体３の内壁曲率とほぼ同じ曲率の外壁を持った球形の一部を、ある平面（床板１１ａと同じ面積とする）を境に切り落としたとして、その切り落とした椀状部分と同じ形状の収納庫を形成し、それを床板１１ａの代わりに設置するようにしてもよい（図４）。この場合、上面は床板１１ａの代わりとなる。このとき、椀状の収納庫の底面はシェルター本体３の内壁面と面接触するので、シェルター本体３に対し安定した設置を行うことができ、移動構造を形成できる。この移動構造により重心を移動させるためのシェルター本体３に対する移動も簡単になる。
尚、椀状の収納庫の底面に凹形状の溝を形成し、それに対応してシェルター本体３の内壁面に凸形状のガイドを形成して、移動構造として移動し易くすることもできる。また、椀状の収納庫の底面に凸形状とし、シェルター本体３の内壁面に凹形状としてもよい。
【００５０】
［溝１２（案内構造）］
尚、シェルター本体３と収納庫との問に、移動方向を案内するための案内構造（図５に示す溝１２）と、任意の位置で固定構造１１を半固定可能とするための固定構造（図示を省略）を設けておくこともできる。
【００５１】
案内構造として機能する溝１２は、床板１１ａの中心から半径方向に切りぬき形成され、その中心に、つかまり棒６が挿入されている。図４及び図５に示すように固定構造１１は、シェルター本体３が、図３に示す状態から姿勢を変えず図４に示す状態になる際に、図４の１１ａ（１）→１１ａ（２）のように紙面垂直の状態から同水平状態へ移動する。この移動によって、つかまり棒６は、溝１２に案内され、姿勢変更後は図５に示すように、紙面垂直方向に延びた状態になる。
【００５２】
［換気口１５］
シェルター本体３には、図２に示すように、避難用空間５内の換気を行うための換気口１５が貫通形成されている。
換気口１５は、これに逆止弁を設けたり、開閉蓋を設けたりすることにより、水が入らないように構成する。また、その設ける位置は、シェルター本体３が水中浮遊したときに水面より高い位置に設けることが好ましい。浮遊時でも換気ができるようにするためである。
【００５３】
［採光窓１７］
ハッチ９は、避難空間５内において施錠解錠可能なロック機構９ｃによってシェルター本体３に対しロック可能であることは前述した。採光窓１７は、シェルター本体３を貫通する窓孔（図示を省略）に、たとえば、ローレットネジによって差し込み固定してあり、外部から取り外し可能に構成してある（図４で２点鎖線の矢印で示すように、紙面の裏側に取り外す）。
【００５４】
また、採光窓１７を透明な円盤形状とし、その側面にネジ山を設け、窓孔の内側部分にはネジ山に対応したネジ溝を形成し、採光窓１７を回転させることで、窓孔に取り付け、取り外しができるようにしてもよい。
採光窓１７は、外側と内側から開閉できるように、外側面と内側面の双方に指を差し込む凹部が形成されている。更に、採光窓１７を開状態にすると、シェルター本体３の内側には取り外せるものの、外側には取り出せない構成となっている。つまり、窓孔の開口部の外側部分は、採光窓１７の直径より小さく形成されている。
【００５５】
そして、この窓孔は、シェルター本体３の外にいる者（たとえば、救助者）が、腕を入れることにより直接的（救助者の手が届く）もしくは間接的（道具を介して届く）にロック機構９ｃを解錠できる位置および形状に構成されている。
避難空間５内に避難者が覚醒状態にあれば密閉時に中に入っている人は、当然の如くロック機構９ｃを解除しハッチ３を開けて外に出ることができる。一方、避難空間５内に避難した者が非力な子供やお年寄りのみである場合、大人であっても気絶してしまって解除できない場合等は、それができない恐れがある。そこで本シェルター１では、救助者が採光窓７を外から外し、その窓孔から手を入れてロック機構９ｃを解除しハッチ３を開放できるようになっている。
【００５６】
［フック１０：図２、図４、図６］
次に、シェルター本体３の表面に形成されたフックについて図２、図４、図６を参照しながら説明する。図６は、フックの概略側面図である。
フック１０は、図２、図４に示すように、シェルター本体３において、ハッチ９とは反対側の位置に形成されている。
フック１０に、小型船舶用のフォールディングアンカー等を、アンカーロープを介して接続するようにしておけば、本シェルター１が津波の引き波で沖合に流されないようにすることができる。
アンカーロープは、危険回避のため、強度を必要以上に強くせず、数百kg程度の荷重で切れる強度とする。
【００５７】
更に、フック１０は、図６に示すように、フック部１０ａと、接合部１０ｂとから構成されている。
フック部１０ａは、アンカーロープを接続するためにＵ字形又はコの字形をしており、その両端が接合部１０ｂに固定されている。尚、フック部１０ａと接合部１０ｂは、例えば、金属等により一体に形成されている。
また、接合部１０ｂは、シェルター本体３に対してオーバーレイ接合で取り付けられており、ネジやビスを用いることがないため、シェルター本体３にドリルで穴を開ける必要ががくなり、強度を損なうことがない。オーバーレイ接合は、接合部１０ｂをシェルター本体３にテープ等で貼り付け、樹脂で脱泡するという、シェルター本体３の外側面に対してハンドレイアップで貼り付ける接合である。更に、シェルター１が水没しかねない危険な状況となった場合、接合部１０ｂがシェルター本体３から剥離して、シェルター本体３がアンカーロープとフォールディングアンカーとから離脱できる。
【００５８】
［シェルター本体３の構造：図７］
シュエルター本体３の構造は、図１１に示した第１の強化材３１ａと発泡体等３２と第２の強化材３１ｂの積層構造を用いるものであるが、以下に示す構造であってもよい。
シェルター本体３の構造について図７を参照しながら説明する。図７は、シェルター本体の積層構造を示す部分断面図である。
シェルター本体３は、図７（ａ）に示すように、多層構造になっている。すなわち、樹脂層（たとえば、ビニルエステル樹脂層）３ａの一方の面（図７（ａ）の下面）に、ロービングクロス層３ｂ、チョップストランドマット層３ｃ、ロービングクロス層３ｄ、チョップストランドマット層３ｅ、ロービングクロス層３ｆ、そしてチョップストランドマット層３ｇの順でロービングクロス層とチョップストランドマット層とを互い違いに複数回繰り返して積層してなる構造である。ロービングクロス層とチョップストランドマット層による積層の繰り返しは、本実施形態では３回としたが、求める強度などに適応できればその増減を妨げない。
ここで、ロービングクロス層、チョップストランドマット層はガラス繊維であって、携帯電話又は無線機等の電波の透過性が高い素材である。
【００５９】
［ロービングクロス層３ｂ，３ｄ，３ｆ］
ロービングクロス層３ｂ，３ｄ，３ｆは、詳細な図示は省略するが、枠体に貼り付けて張り子を作る紙片、もしくはパッチワークのために縫い合わせる布片のような、部分的に重ね貼りされた複数のロービングクロス小片から構成されている。
このロービングクロス小片は、その大きさや形状に制限はなく各々は同じでもよい、し互いに違えてもよい。たとえば、一辺が１０ｃｍ程度の矩形小片により構成することができるが、複雑な形状の層を形成するのであれば小径としたり小片の形状を工夫したりするとよい。必要であれば、貼り付けに接着剤を用いてもよい。貼り合わせには高度かつ繊細な技術が必要であるため熟練工による手作業が基本であるが、機械等による自動化を妨げる趣旨ではない。
【００６０】
［チョップストランドマット層３ｃ，３ｅ，３ｇ］
チョップストランドマット層３ｃ，３ｅ，３ｇも、上記と同様に部分的に重ね貼りされた複数のチョップストランドマット小片から構成されている。チョップストランドマット小片の大きさや形状、さらに貼り付け法等については、上記したロービングクロス小片のそれらと異ならない。
尚、ロービングクロス層およびチョップストランドマット層には、それぞれ樹脂を含浸させてある。各層の厚みは、たとえば、０．４ｍｍ程度が好ましい。
【００６１】
［コア層］
尚、上述したチョップストランドマット小片それぞれの厚み方向途中には、樹脂を含侵させたコア層を設けることが好ましい。すなわち、図７（ａ）に示すチョップストランドマット層３ｃ，３ｅ，３ｇの代わりに、図７（ｂ）に示すチョップストランドマット層３ｃ'（３ｅ'，３ｇ'）を採用することができる。チョップストランドマット層３ｃ'（３ｅ'，３ｇ'）を構成するチョップストランドマット小片それぞれは、チョップトランドマット層３ｃｐ（３ｅｐ，３ｇｐ）と他のチョップトストランドマット層３ｃｒ（３ｅｒ，３ｇｒ）との間に、コア層３ｃｑ（３ｅｑ，３ｇｑ）が設けられている。
【００６２】
コア層３ｃｑ（３ｅｑ，３ｇｑ）の素材は、そのままなら樹脂を流通しやすいが樹脂流通後の型締め（後述）により強固になる素材、たとえば、綿状の樹脂材（たとえば、ＰＰ（ポリプロピレン））が好適である。その理由は、次の積層構造の製造方法において行う樹脂注入に係り、注入する樹脂がチョップストランドマット層３ｃｐ（３ｅｐ，３ｇｐ），３ｃｒ（３ｅｒ，３ｇｒ）の流通を促進して全体に行きわたりやすくし、これによって均一で強固な積層構造を製造するためである。
【００６３】
ここで、図７（ｂ）に示したチョップストランドマット層３ｃ'（３ｅ'，３ｇ'）を、図１１に示した三層の積層構造としてもよく、その場合、チョップトランドマット層３ｃｐ（３ｅｐ，３ｇｐ）が第１の繊維系強化材３１ａに、コア層３ｃｑ（３ｅｑ，３ｇｑ）が発泡体又はコア材３２に、チョップトストランドマット層３ｃｒ（３ｅｒ，３ｇｒ）が第２の繊維系強化材３１ｂに相当するものとなる。
尚、シェルター本体３は、図１１の積層構造を用いることなく、発泡体（発泡材）又はコア材を入れずに、樹脂層の下面に、ロービングクロス層、チョップストランドマット層を単に繰り返し積層した構造であってもよい。
【００６４】
［シェルター本体３の製造方法：図７、図８、図９］
シェルター本体３の製造方法について図７〜図９を参照にしながら説明する。図８は、シェルター本体の製造方法を示すフロー図であり、図８は、シェルター本体の結合を示す部分断面図であり、図９は、シェルター本体の結合を示す部分断面図である。
まず、Ｌ−ＲＴＭ（Light-Resin Transfer Molding）成形装置を用意する。ここで、Ｌ−ＲＴＭとは、下型に基材を敷詰め、上型を真空圧で型締めして、型内に樹脂材料を注入・成形する工法で、通常のハンドレイアップ成形法やスプレーアップ成形法によって成形したＧ−ＦＲＰ（Glass-Fiber Reinforced Plastics）製品と異なり裏表とも平滑面となることに特長がある。
【００６５】
一方、上述した通常のハンドレイアップ成形法は、繊維強化剤に樹脂を染み込ませ手作業で貼り付け、脱泡作業を行うものであるが、この成形法によって製造する製品は技術者の熟練度や製造姿勢などの差が製品の均質化の妨げになるといわれている。ハンドレイアップ工法は、手作業で行うことから繊細な形状をも実現可能であるなどの利点があるが、脱泡作業が不十分であると空気が層の中に残ってしまい、これは、製品の強度や安全性に脅威となりかねないという問題がある。そこで、本願発明者らは、ハンドレイアップ工法の利点を踏襲しつつその欠点を補うためにＬ−ＲＴＭ成形法を併用する手法を考案した。
【００６６】
図８に戻り説明を続ける。まず、下型内面に樹脂（本実施形態では着色された塗膜樹脂）をスプレーして樹脂層３ａを形成する（Ｓ１）。次に、樹脂層３ａの表面に、強化基材であるロービングクロス層３ｂ，３ｄ，３ｆとチョップストランドマット層３ｃ，３ｅ，３ｇ（３ｃ'（３ｅ'，３ｇ'））を互い違いに積層する（Ｓ３）。この作業は、複数のロービングクロス小片および複数のチョップストランドマット小片を、それぞれ部分的に重ね貼りする作業である。
積層を終了したら、これをさらに、上型を真空圧で型締めし（Ｓ５）、上型と下型の間である型内に樹脂材（本実施形態では、ビニルエステル樹脂）を注入して成形する（Ｓ７）。各層に含侵させた樹脂が硬化したら上型を開いて、成形品であるシェルター本体３を下型から取り出す（Ｓ９）。以上により、シェルター本体３の製造を完了する。
【００６７】
尚、シェルター本体３は球形であるから、縦半分のものを２つ製造し、その一方に周縁に径が僅かに大径の重なり部３ｓを形成し、その中に他方の周縁を入れ、接着固定するようになっている（図９）。
本実施形態に係る製造方法によれば、Ｌ−ＲＴＭ成形装置を用いて、型締めを行っているので、小片を部分的に重ね貼りした各層がしっかりと締められるので圧縮強度が飛躍的に向上しており、かつ、真空圧により樹脂が層の中に確実に含侵されているため、層の内面を平滑面とすることができる。
また、本実施形態に係る製造方法によれば、脱泡が確実に行われることから避難用シェルターとして十分な強度と均一性を実現することができる。
【００６８】
また、ハッチ９は、上述したシェルター本体３の製造方法と同じ製造方法によって同積層構造と同じ構造に構成することが好ましい。シェルター本体３と同様な強度を確保するためである。
更に、図示は省略するが、シェルター本体３の内面に緩衝材を設けることが好ましい。緩衝材を設けるのは、シェルター本体３が大きな衝撃を受けても、その影響ができるだけ避難者Ａに及ばないようにするためである。本実施形態では採用していないが、避難者Ａの身体をシェルター本体３に固定するためのシートベルト（図示を省略）、腰を下ろすためのクッション（図示を省略）などを取り付けておくこともできる。なお、上記緩衝材は、ハッチ９にも適用することができる。
【００６９】
尚、図示は省略するが、上記した各層間の内、いずれかの層間には、金属板（たとえば、厚さ２ｍｍ程度の鉄板小片）を挿入することもできる。また、その金属板にネジ穴を形成することにより、たとえば、シェルター本体３の外側面又は内側面に取っ手やヒンジなどを確実にネジ固定できるようになる。
【００７０】
［本実施形態の変形例］
シェルター本体３及びハッチ９には、防弾・防爆風効果を高めるためのアラミド繊維を含む層、もしくは、簡易核防護効果を高めるための鉛フィルム層を含めることができる。すなわち、図７に示す、たとえば、チョップストランドマット層３ｂ，３ｄの代わりにアラミド繊維層等や鉛などの放射線遮断効果の高い部材のフィルム層若しくはコーティング層を積層することもできる。
アラミド繊維層を設けることにより、防弾・防爆風効果を高めることができるので、その際の避難用シェルター１は、紛争地域等で使用したときにその効果を発揮する。
また、鉛などの放射線遮断効果の高い部材のフィルム層若しくはコーティング層を設けて核防護効果を高めることにより、原子力被害想定地域において、その被害軽減が期待できる。すなわち、原子力被害発生時に、短時間で半減期を迎える放射性物質への対策のため、当該短時間を放射線的に隔離された避難用シェルター１内で緊急避難的な滞在ができるようにするためである。放射線から防護するための防護服やマスク等を予め用意しておけば、避難者の安全をより確実に確保することができる。
【００７１】
［避難用シェルターの使用方法］
地震災害の場合を例にして説明する。大きな予震が発生したときや、緊急地震速報装置のお知らせがあったときには、大地震が発生するまでに１０秒〜数十秒程度の時間がある。大きな地震の予震やお知らせがあった場合の避難者Ａは、ハッチ９を開放し出入口７から避難空間５内に入り込む（図１、図３）。
避難した避難者Ａは、ハッチ９を閉めロック機構９ｃでロックすれば避難を完了する。避難者Ａの呼吸は、換気口１５の働きにより確保される。家屋が倒壊したり土砂が崩れてきたりしても、避難者Ａは避難用シェルター１に保護され、それらによって押しつぶされることはない。なお、設置時のハッチ９は、図３に示すように、開放状態にしておいてもよい。避難を迅速に行えるようにするためである。
【００７２】
尚、ハッチ９を外側から閉じておくことができるように、出入口７の周縁とハッチ９の周縁を固定するパチン錠を設けるようにしてもよい。その設置位置は、図１において採光窓１７に近い所とする。パチン錠は、ロックが解除されると、バネの力により、施錠されなくなるが、何かがそこに引っ掛かったりした場合に、採光窓１７を開けてシェルター本体３の内部から手で取り除くことができる。
【００７３】
本シェルター１（シェルター本体３）は、水密になっているので、そのまま津波などに流されても沈むことはない。また、瓦礫等との衝突から避難者Ａを守ってくれる。津波にのまれた直後の本シェルター１は、その勢いや他の流出物との衝突などにより衝撃を受けたり回転したりするが、避難者Ａは、安全にこれらから避難することができる。
【００７４】
津波が落ち着いたら、ウェイト１３や避難者Ａ自身の移動によりシェルター本体３の重心を変え、ハッチ９が最上部に来るように水中姿勢を制御するとよい。ハッチ９を開けることができるので、外気を取り入れることができ、また、避難者Ａ自身が出入口７から顔を出して周囲の様子を見ることなどが可能になる（図４）。
【００７５】
例えば、避難用シェルター１の収納庫の中には、簡易トイレ、ヘルメット、緊急呼び出し用のホイッスルや発煙筒、懐中電灯、ラジオ、太陽電池その他の簡易発電機、飲食物、医療品等の防災用品を備蓄しておくとよい。更に、これらとともに、もしくは、これらの代わりに、前述した防護服やマスクなどを必要に応じて収納しておくこともできる。
尚、本シェルター１では、収容人数は４人程度であるが、階段の下等に設置されていれば、災害時に入り易いものである。
【００７６】
［避難用シェルターシステムの構成：図１０］
次に、本発明の実施の形態に係る避難用シェルターシステムについて図１０を参照しながら説明する。図１０は、避難用シェルターシステムの概略図である。
避難用シェルター１は、災害時の被災者が避難空間を確保する上で意義あるものである。しかし、家屋内等の生活空間５１に避難用シェルター１を設置するスペースがない場合、使用者が生活空間５１に設置を望まない場合等があることが事実である。そこで、平常時の生活空間を確保しつつ非常時の避難を可能とするのが、この避難用シェルターシステム１０１である。
【００７７】
避難用シェルターシステム１０１は、使用者の生活空間５１の上方もしくは下方に設けられた当該避難用シェルターを収納するための収納空間（上方収納空間５３もしくは下方収納空間５５）と、この収納空間に収納された避難用シェルター１を下降もしくは上昇させて生活空間５１へ移送するための移送手段１０３と、によって構成されている。
【００７８】
移送手段１０３は、避難用シェルター１を載せる置き台１０５と、置き台１０５を吊り下げる吊り下げ機構１０７と、吊り下げ機構１０７を下降もしくは上昇させるための昇降機構１０９から概略構成してある。
昇降機構１０９は、たとえば、屋根裏のスペースのような上方収納空間５３に収納してある避難用シェルター１を、非常時に駆動して生活空間５１へ下降させ、または平常時にその逆の動作を行う。たとえば、地下室のような下方収納空間５５に収納してある避難用シェルター１は、非常時と平常時に上述した動作と逆の動作で生活空間５１へ避難用シェルター１を移送する。
避難用シェルターシステム１０１によれば、生活空間５１を確保しつつ万が一の備えとして避難ンシェルター１を使用者の身近に設置しておくことができる。
【００７９】
［別の避難用シェルターシステムの構成］
次に、別の避難用シェルターシステムについて説明する。
別の避難用シェルターシステムは、一般住宅の階段下に避難用シェルター１の収納スペースを設けるもので、生活空間を極力阻害しないようにしたものである。
避難用シェルター１は、階段下の開放された空間側にハッチ９が向くように配置される。
一般的な木造家屋では、階段幅がせいぜい９０ｃｍ程度であるので、完全に収納しきれず、ハッチ９が開放空間側に少しせり出すことになるが、階段下のスペースを有効に利用できる。
尚、収納スペースに余裕があれば、設置台２１を設置し、その上に避難用シェルター１を載せてもよいが、収納スペースに余裕がなければ、シェルター本体３の球形に対応した凹部を床に形成し、その凹部に避難用シェルター１をはめ込むようにしてもよい。
【００８０】
［第２のシェルター：図１２〜１５］＜キャンピングトレーラータイプ＞
次に、本発明における第２の実施の形態に係る避難用シェルター（第２のシェルター）について図１２〜図１５を参照しながら説明する。図１２は、車両にけん引される第２のシュエルターの側面図であり、図１３は、第２のシェルターの平面図であり、図１４は、第２のシェルターの背面図であり、図１５は、連結機構と解除機構を説明するための側面図である。
【００８１】
［第２のシェルターの概略構造］
図１２及び図１３に示すように、第２のシェルター４１は、浮遊シェルター４３と、連結構造４５と、解除機構４０（図１５）とを備え、キャンピングトレーラー型シェルターとなっている。第２のシェルターの収容人数は、１０〜２０人程度である。
浮遊シェルター４３は、連結構造４５によって、けん引用の車両１１１と連結される。連結構造４５の連結は、解除機構４０によって解除可能に構成されている。
尚、浮遊シェルター４３は、キャンピングトレーラーの箱型形状の外壁を成すものである、
【００８２】
［浮遊シェルター４３の概略構造］
浮遊シェルター４３は、全体として水密に構成されたシェルター本体４３ａと、シェルター本体４３ａを載置固定させる車台４３ｂによって構成され、可動式かつ水中浮遊可能になっている。
シェルター本体４３ａは、その形状や大きさに制限はないが、本実施形態では各辺が丸みを帯びた横長の直方体形状に形成されている。丸みを帯びさせたのは、シェルター本体３ａの強度を保ちやすいからである。また、横長直方体形状が選択されたのは、本実施形態では省略してあるが、たとえば、ベッド、ダイニングテーブル、キッチン、トイレ、シャワーなど生活に必要な装備を室内に設置することによりキャンピングトレーラー（トラベルトレーラー、キャラバン）として使用できるようにするためである。非常用の食料の他、緊急信号灯や緊急電波発信装置等を設置しておくこともよい。
【００８３】
キャンプのようなアウトドアだけでなく、たとえば、自宅においてリビングや子供の勉強部屋として、さらにカラオケ室や楽器練習室等として活用することを妨げない。なお、上記の装備を設置した際でも、シェルター本体４３ａの中にいる避難者（通常時の使用者も含む、以下、同じ）状態の浮遊シェルター４３が、図１２に示すように、地上載置時と同じ姿勢で浮遊可能となるように全重量や重心位置を設定しておく。水中浮遊時のシェルター本体４３の横転から避難者を確実に保護するためである。
【００８４】
［シェルター本体４３ａの構造］
シュエルター本体４３ａの構造は、図１１に示した第１の強化材３１ａと発泡体等３２と第２の強化材３１ｂの積層構造を用いるものであるが、以下に示す構造であってもよい。
シェルター本体４３ａの構造は、図１２に丸で囲んだ拡大部分断面図に示すように、外側ＦＲＰ層４３ｐと内側ＦＲＰ層４３ｑの間に浮力材層４３ｒを挟んだ三層構造になっている。外側側ＦＲＰ層４３ｐと内側ＦＲＰ層４３ｑは、それぞれ繊維強化プラスチックにより構成され、浮力材層４３ｒは、発泡ウレタンフォーム等の高浮力材から構成されている。
シェルター本体４３ａは、キャンピングトレーラータイプであり、重くなることが予想されるため、発泡体（発泡材）を入れるのは必須である。
【００８５】
ＦＲＰ層を二重としたのは、災害時の外力に十分に対抗可能な強度を得るためであり、浮力材層を介在させたのは、何らかの不測の事態によりシェルター本体４３ａ内に浸水があったとしても、浮遊シェルター４３全体が直ちに水没しないようにするためである。内側ＦＲＰ層４３ｑの内側に、さらに、発泡ウレタンフォーム等により構成したクッション層（図示を省略）を設けてもよい。クッション層は、たとえば浮遊時におけるシェルター本体４３ａの揺れた際に転倒した避難者を保護するためのものである。
【００８６】
シェルター本体４３ａの側面には、少なくとも１か所の水密ドア４３ｄと、複数の覗き窓４３ｗとが設けられている。水密ドア４３ｄは、シェルター本体４３ａの室内に出入りする避難者が使用するドアであり、外方向へ開放するように構成されていることが好ましい。外方向開放とするのは、内方向開放に比べ、津波等の災害に遭遇したときにシェルター本体４３ａが受ける外圧に対し強いからである。
【００８７】
覗き窓４３ｗには、災害遭遇時でも容易に破損しない強化ガラスが水密設置され、シェルター４３ａの室内外からそれぞれ反対側が見られるようになっている。覗き窓４３ｗの形状は、強度保持の観点から円形であることが好ましい。また、覗き窓４３ｗの大きさは、形状も含め複数あるもののすべてを同じに設定する必要はないが、いずれにしろ災害遭遇時に対応可能な最低限の強度を備えるように設計することが必要である。
【００８８】
覗き窓４３ｗそれぞれの位置は、避難用シェルター４１が浮遊するときに、その総排水量や重量等との関係から水没しない高さにあることが望ましい。図１４に示すシェルター本体４３ａの正面に設けられている覗き窓４３ｗは、シェルター本体４３ａの中で解除機構４０を操作しようとする避難者が連結機構４５を目視できるようにするために重要である。
【００８９】
水密ドア４３ｗは、上述したように外方向開放であるので、水難や土砂崩れに遭遇したときの水や土砂に邪魔されて開放できない場合が想定される。そのような場合に備え、シェルター本体４３ａには、その天板に脱出用ハッチ４３ｈが、外開放可能かつ水密に設けられている。
脱出用ハッチ４３ｈは、図１４に示す完全開放状態とは別に、半開き状態にする構造（図示を省略）を設けておくとよい。通常使用時はもとより災害遭遇時であって可能なとき、脱出用ハッチ４３ｈを半開き状態にしておくとシェルター本体４３内の換気ができるし、避難者が顔を出して外の様子を伺うことができるからである。
【００９０】
雨水、水害の水、土砂等が入り込むため脱出ハッチ４３ｈを半開き状態にできないときのために、シェルター本体４３ａの天板の脱出ハッチ４３ｈ隣に換気装置４３ｋが設けられている。換気装置４３ｋは自然換気でも換気扇等による強制換気でもよいが、シェルター本体４３ａの水密機能を害さない構造である必要がある。換気装置４３ｋには、塵や埃の侵入を防ぐ防塵フィルターや放射能の侵入を阻止する除染フィルター等を取り付けておくことが好ましい。塵埃や放射能等から避難者を保護し、健康を害さずに避難等ができるようにするためである。
【００９１】
シェルター本体４３ａの天板の外側には、さらに、太陽光発電をするための太陽光パネル４３ｓと、浮遊シェルター４３を吊り下げるための複数の留め具４３ｆとが取り付けられている。太陽光パネル４３ｓは、太陽光発電によりシャルター本体４３ａ内の蓄電池（図示を省略）に電源を供給するためのものであり、蓄電池に蓄えた電気は、特に避難時に避難者のライフラインの一つとなる。太陽光パネル４３ｓの形状や個数は、可能な範囲で適宜設定することができる。太陽光パネルは、シェルター本体４３ａの側面等にも設置可能であることは言うまでもない。
【００９２】
留め具４３ｆは、本実施形態では、逆さＵ字形状のものが４個となっており、シェルター本体４３ａの天板の四隅にそれぞれ設けられている。これらの留め具４３ｆは、吊り下げワイヤーを引っ掛けて、クレーンやヘリコプターによって浮遊シェルター４３を吊り下げ、被災地から安全な場所へ移動したり、いずれかの目的地へ運搬したりするときに使用する。したがって、留め具４３ｆ各々は浮遊シェルター４３として想定される最大重量（生活装備や避難者等の重量が含まれる）に十分に耐えられる強度を備えていなければならない。
【００９３】
シェルター本体４３ａの側面には、さらに、少なくとも１個の救命具４３ｅを取り外し可能に取り付けておくことを推奨する。救命具４３ａは、水難に遭遇したとき、シェルター本体４３ａ内にいた避難者がそこを離れるときに使用すること、また、外にいる他の避難者の救助に用いることができる。さらに、側面に取り付けられた状態の救命具４３ｅは、船舶を岸壁との衝突から保護するためのタイヤフェンダーと同様に、浮遊時に他の浮遊物との直接衝突からシェルター本体４３ａを保護する機能も有している。これに加え、図示は省略するが、シェルター本体４３ａの側面に、天板上に昇降するためのハシゴを設けることが好ましい。
【００９４】
［連結構造の構造］
図１４及び図１５を参照しながら、連結構造の一例について説明する。
連結機構４５は、車両１１１側に設けられた被係合部材１１５と解除可能に係合する係合部材４５ａと、被係合部材１１５に係合した係合部材４５ａが外れないようにするための可動外れ阻止部材４５ｂにより構成されている。
被係合部材１１５は、車両１１１の後端から水平に伸びる細い平板状の部材であって、上下方向に貫通する係合孔１１５ｈを備えている。
係合部材４５ａは、逆さＬ字状の棒材であって、その縦棒部を上から係合孔１１５ｈに挿入して係合させるようになっている。このとき、係合部材４５ａは、その縦棒部先端がわずかに被係合部材１１５の下端から突き出すように構成されている。
【００９５】
可動外れ防止部材４５ｂは、図１５に示すように、基部が車台４３ｂにヒンジ固定され、解除時（未連結時）には、下方に向いている開放端（実線で表示）が回動して横方向に向き（破線で表示）、このときに係合部材４５ａの開放端と縦棒部先端とが接触もしくは近接することによって係合外れを阻止するようになっている。係合阻止を行うのは、被係合部材１１５と係合部材４５ａの係合が移動時の上下動によって外れるおそれがあるので、外れないようにするためである。
尚、可動外れ阻止部材４５ｂは、横方向（係合阻止方向）に向かってバネ（図示を省略）により付勢されている。したがって、後述する係合解除する際の係合外れ阻止部材４５ｂの回動は、このバネの力に抗しながら行われることになる。
【００９６】
［解除機構の構造］
図１５に示すように、解除機構４０には、浮遊シェルター４３（シェルター本体４３ａ）内に設置された操作部４０ａと、操作部４０ａの操作に連動して可動外れ阻止部材４５ｂを解除方向に移動させる動力伝達部４０ｂとが設けられている。
動力伝達部４０ｂは、ブレーキワイヤーで構成され、避難者による操作部４０ａの操作がフレキシブルチューブ内を長さ方向に移動するワイヤーによって動力伝達されるようになっている。避難者による操作部４０ａの操作は、動力となって動力伝達部４０ｂを介し連結機構４５の可動外れ阻止部材４５ｂを駆動し、これによって可動外れ阻止部材５ｂはバネ力に抗しながら解除方向に回動するように構成されている。
【００９７】
解除機構４０は、避難者の操作により駆動するのが原則であるが、たとえば津波のような水難に遭遇した場合、中にいる避難者がパニックに陥っていたり、浮遊シェルター４３の浮遊によって避難者が解除機構４０に手が伸ばすことができなかったりすることも想定される。このような場合、避難用シェルター４１は浮遊しようとするもけん引する車両１１１は水没しようとするので、両者には上下反対方向の力が作用する。ここで、避難用シェルター４１の高さより津波の水深が深いと（浅ければ完全水没はしない）、駆動しない解除機構４０は避難用シェルター１を車両１１１の完全水没の道連れとしてしまうおそれがある。これを防ぐため、解除機構４０の可動外れ阻止部材４５ｂは、下方に回動するように構成されている。
【００９８】
つまり、車両１１１が水没するも避難用シェルター４１が浮遊することによって両者間には上下方向に大きな位置的格差が生じることになるが、この格差が可動外れ阻止部材４５ｂをバネ力に抗しながら下方に回動させて係合を自動解除し、これによって、浮遊シェルター４３は水没しようとする車両１１１から解放され、そのまま浮遊し続けられるようになっている。
【００９９】
［車台の構成］
図１２〜図１４に示すように、車台４３ｂは、シェルター本体４３ａを上に載置固定可能に構成され、下方には車輪４３ｔが設けられている。車台４３ｂは、水中浮遊時にシェルター本体４３ａから切り離すように構成することもできるが、本実施形態では、これを切り離さず水中バランサーとしての機能を持たせてある。
すなわち、車台４３ｂがシェルター本体４３ａの下部に位置することにより、水中浮遊時の避難用シェルター４１を、地上載置時と同じ姿勢で浮遊可能となるように調整する役目を担っている。水中浮遊時の避難用シェルター４１の横転から避難者を確実に保護するためである。つまり、車台４３ｂは、ウェイト部の役割を果たしている。
【０１００】
［第２のシェルター特有の作用効果］
避難用シェルター４１の構成、作用効果によって、避難用シェルター４１が水難に遭遇したとき、避難者による操作部４０ａの操作により、場合によっては自動で、一体であれば共に水没するだろう車両１１１との連結が解除され、浮遊シェルター４３は水中浮遊が可能になる。
これにより、避難者の安全が確保される。水中浮遊している避難用シェルター４１は、たとえば、船舶によって移送することにより、避難者を安全な場所に避難させることができる。また、吊り下げワイヤーでクレーンやヘリコプターから吊り下げ移動することもできる。
【０１０１】
［第３のシェルター：図１６］＜ユニットバスタイプ＞
次に、本発明における第３の実施の形態に係る避難用シュエルター（第３のシュエルター）について図１６を参照しながら説明する。図１６は、第３のシェルター（ユニットバス型シェルター）の断面説明図である。
第３のシェルターにおけるシュエルター本体６１の構造は、図１１に示した第１の強化材３１ａと発泡体等３２と第２の強化材３１ｂの積層構造を用いるものである。
第３のシェルターは、ユニットバス自体を避難用シェルターとするもので、津波等の被害にあっても、強度が十分であって気密性に優れ、ハッチ６２が上側に向くことになるものである。
【０１０２】
第３のシェルターは、図１６に示すように、シェルター本体６１と、ハッチ６２と、ウェイト部６３と、天井部６４と、床部６５と、浴槽６６と、配水管６７と、排水口６８と、換気管６９と、換気口７０と、採光窓７１とから構成されている。
【０１０３】
シェルター本体６１は、箱型の底面部と、箱型を逆さにした上面部と、四面の側面を備える側面部とを備え、各部は内側に引き出した張出部でボルトとナットで固定され、接続面には防水処理が施されている。つまり、シェルター本体６１は、ユニットバスの外壁を成すものである。
ハッチ６２は、ユニットバスの出入口となっており、内側から開閉する開閉機構と、ハッチ６２をロックするロック機構を備えている。
【０１０４】
採光窓７１は、ハッチ６２の周辺で、例えば、上側又は下側、若しくは上側と下側の両方に設けられ、内側及び外側の両方から開閉できる回転ネジ型の透明部材（例えば、透明の強化プラスチック等）の窓となっている。尚、採光窓７１は、開状態の場合、シュエルター本体６１の内側に外れる構成となっている。
そして、採光窓７１のシュエルター本体６１の内側にハッチ６２のロック機構を解除する手段が設けられ、シェルターとして機能した場合に、救助員が外から採光窓７１を開けてハッチ６２のロック機構を解除して開閉機構を開とし、ハッチ６２を開くことができるようになっている。
【０１０５】
ウェイト部６３は、ハッチ６２が設けられた側面とは反対側の側面にモルタル等で形成されている。ウェイト部６３は、津波によって水に浮いた場合に、重しの役目を果たし、ウェイト部６３がある図１６の左側が下側に向き、ハッチ６２が上側に向くようになっている。
その場合、浴槽６６は、踏み台となって、採光窓７１を開けたり、ハッチ６２を開けたりするのに使用する。
【０１０６】
天井部６４は、ユニットバスの天井を構成するもので、床部６５は、ユニットバスの床を構成するものである。
配水管６７は、ユニットバスの配水管であり、排水口６８は、外部に排水する排水口である。
換気管６９は、ユニットバスの換気管であり、換気口７０は、換気を行うための換気口である。
【０１０７】
尚、排水口６８と換気口７０は、災害発生時で津波発生の予報が出された時には、それぞれを塞ぐための蓋が設けられている。蓋は、スライド式、シャッター式であっても、回転ネジ式であってもよい。但し、外部からの浸水を防ぐために気密性のある構造が必要である。
第３のシェルターであれば、収容人数が８人程度である。第３のシェルターは、構成が大掛かりであるため、新築の住宅、改築の住宅に設置するのに適している。
シェルター本体６１は、ユニットバスタイプであり、重くなることが予想されるため、発泡体（発泡材）を入れるのが望ましいが、発泡体を入れなくて形成してもよい。
【０１０８】
［第４のシェルター：図１７，１８］＜ベッドタイプ＞
次に、本発明における第４の実施の形態に係る避難用シェルター（第４のシェルター）について図１７、図１８を参照しながら説明する。図１７は、ベッド型シェルター（第４のシェルター）の概略図であり、図１８は、第４のシェルターの断面説明図である。
第４のシェルターは、図１７、図１８に示すように、シェルター本体７５と、ハッチ７６と、採光窓７７と、ウェイト部７８とを備え、ベッド型シェルターとなっている。第４のシェルターの収容人数は、１〜４人程度である。
【０１０９】
シェルター本体７５とハッチ７６の構造は、図１１に示した第１の強化材３１ａと発泡体等３２と第２の強化材３１ｂの積層構造を用いている。尚、シェルター本体７５とハッチ７６の構造に発泡体（発泡材）を入れない構成とし、樹脂層に繊維系強化材を複数積層する構成であってもよい。
シェルター本体７５とハッチ７６との開閉機構は、シェルター本体７５の一辺でハッチ７６の一辺が開閉自在に接続し、当該接続部分は浸水しないよう防水構造となっている。
【０１１０】
シェルター本体７５は、寝具等を収納する収納部であり、その収納部に人が横たわるようになっている。
ハッチ部７６は、閉じられた状態で、接続部分とは反対側のシェルター本体７５の他辺とハッチ７６の他辺とが密着し、当該他辺でロックされるロック機構を備えている。当該ロックにより、シェルター本体７５とハッチ７６とが密着し、気密性が保たれるようになっている。
【０１１１】
採光窓７７は、ハッチ７６に設けられ、ハッチ７６が閉じた状態で真上となるよう設けるのが望ましい。採光窓７７は、内側及び外側から開閉できる構造で、回転ネジ式の透明部材で構成されている。
そして、採光窓７７を開いた状態にすると、シェルター本体７５の外側からのロック機構を解除できるよう、ロック解除の機構が採光窓７７の近くに設けられている。採光窓７７は、複数個設けられていてもよい。
また、採光窓７７は、換気口としても利用される。
【０１１２】
ウェイト部７８は、シェルター本体７５の収納部の底面に重み付けするためのおもしであって、水に浮いた場合に、ハッチ７６が上側を向くようになっている。
図１７では、ウェイト部７８の上に寝具が敷かれ、シェルター本体７５の収納部の内部に固定ベルト、非常食、発信器、酸素ボンベ等を備えるようにしてもよい。
【０１１３】
［第４のシェルターにおける別の例：図１９〜２３］
次に、第４のシェルターにおける別の例について図１９〜２３を参照しながら説明する。図１９は、ベッド型シェルターの別の例（１）を示す概略図であり、図２０は、ベッド型シェルターの別の例（２）を示す概略図であり、図２１は、ベッド型シェルターの別の例（３）を示す概略図であり、図２２は、ベッド型シェルターの別の例（４）を示す概略図であり、図２３は、ベッド型シェルターの別の例（５）を示す概略図である。
【０１１４】
尚、第４のシェルターにおける別の例（１）〜（５）では、ベッド型シェルターの形状について主に説明しているが、シェルター本体とハッチの構造は、図１１に示した第１の強化材３１ａと発泡体等３２と第２の強化材３１ｂの積層構造を用いるものである。
また、図１９〜２３では説明していないが、ハッチは閉状態においてシェルター本体内に浸水しないよう気密性が保持されるものであり、シェルター本体内部にロック機構が設けられている。
更に、ハッチには採光窓が設けられ、内側及び外側から採光窓を取り外すことができるようになっており、採光窓を開状態とした場合に、外側からシェルター本体内部のロック機構を解除できるようになっている。採光窓は、複数個設けてあってもよい。
【０１１５】
図１９に示すように、第４のシェルターにおけるベッド型シェルターの別の例（１）は、かまぼこ型の形状で、板状のシェルター本体７５ｂにかまぼこ型のハッチ７６ｂが取り付けられている。
ハッチ７６ｂは、図１７，１８と同様にシェルター本体７５ｂの長辺を軸として開閉可能であってもよいし、シェルター本体７５ｂの短辺を軸として開閉可能であってもよい。
【０１１６】
図２０に示すように、第４のシェルターにおけるベッド型シェルターの別の例（２）は、ハッチ７６ｃを箱型とせずに、長辺の側面を台形にして角部に丸みを持たせた形状としてもよい。
この場合のハッチ７６ｃは、シェルター本体７５ｃの長辺を軸として開閉可能であってもよいし、シェルター本体７５ｃの短辺を軸として開閉可能であってもよい。
【０１１７】
図２１に示すように、第４のシェルターにおけるベッド型シェルターの別の例（３）は、ハッチ７６ｄが長辺側面と上面で構成され、短辺側面はシェルター本体７５ｄに取り付けられた構成となっている。
ハッチ７６ｄは、シェルター本体７５ｄの長辺でハッチ７６ｄと接続し、長辺を軸としてハッチ７６ｄが開閉可能となっている。
【０１１８】
図２２に示すように、第４のシェルターにおけるベッド型シェルターの別の例（４）は、図２１のシェルターに似た形状であるが、ハッチ７６ｅの一部がシャッターのように動いて開閉するシャッター部７９を備えるものである。
この場合、採光窓は、シャッター部７９ではないハッチ７６ｅに設けられる。
【０１１９】
図２３に示すように、第４のシェルターにおけるベッド型シェルターの別の例（５）は、観音開きのハッチ７６ｆがシェルター本体７５ｆに取り付けられている。
図２３のベッド型シェルターであれば、ハッチ７６ｆが両方に開くので、ベッドとして使用する場合に、ハッチ７６ｆが比較的に邪魔にならない。
【０１２０】
図１７〜２３に示した第４のシェルターは、留め具等をシェルター本体の外側に形成して、船舶等にけん引可能としてもよい。
また、第４のシェルターを横方向に連結する連結部を設け、第４のシェルターを横方向に複数連結させて安定化させるようにしてもよい。
【０１２１】
第４のシェルターであるベッド型シェルターは、寝たきり老人宅や病院には昇降するベッドがあるので、その昇降するベッドの規格に合わせたシェルターを作成することにより、寝たきり老人がいる家では第１のシェルターである球型シェルターではなく、ベッド型シェルターを購入してもらい、家族（４人以内）が災害時に入って避難し、病院では、医師と看護師が災害時に第１〜３のシェルター又は第５のシェルターに入って避難し、患者は第４のシェルターに入って避難することが望まれる。
第４のシェルターは、昇降型とはせず、普通のベッドにマットをどかして据え付けてもよい。そうすれば、生活空間の邪魔にならない。
【０１２２】
［第５のシェルター：図２４〜２６］＜コンテナタイプ＞
次に、本発明における第５の実施の形態に係る避難用シェルター（第５のシェルター）について図２４〜２６を参照しながら説明する。図２４は、コンテナ型シェルター（第５のシェルター）の概略図であり、図２５は、コンテナ型シェルターの断面説明図であり、図２６は、コンテナ型シェルターの別の例を示す概略図である。
第５のシェルターでは、既存のコンテナを改造してシェルター用としたものである。
【０１２３】
具体的には、図２４に示すように、第５のシェルターは、シェルター本体８１の側面に、出入口の扉８２が形成され、上面にハッチ８３と採光窓８４が形成されている。
扉８２は、気密性を保つために、観音開きにはせず、短辺側面の半分で片方にのみ開閉する構造としている。
【０１２４】
また、図２５に示すように、床にウェイト部８５が形成されている。
ウェイト部８５は、モルタル等で重しの役割を果たして、水に浮いた場合に、ハッチ８３が上側になるようにするためのものである。尚、ウェイト部８５を収納部とし、水、食料、簡易トイレ、懐中電灯、ラジオ、簡易発電機、医療品等の防災用品を備蓄するものであってもよい。
【０１２５】
シェルター本体８１は、一般的なコンテナの鋼鉄、アルミニウム等の素材に対して内壁面又は外壁面、若しくは両壁面に防水性の強化プラスチック（ＦＲＰ）製の積層面をハンドレイアップ法で形成したものである。
尚、鋼鉄、アルミニウム等の素材にＦＲＰ製の積層面を形成した構成に代えて、シェルター本体８１、扉８２、ハッチ８３の構造は、図１１に示した第１の強化材３１ａと発泡体等３２と第２の強化材３１ｂの積層構造を用いてもよい。
【０１２６】
また、より具体的に、図２６に示すように、コンテナ型シェルターの別の例は、シェルター本体８１ｂの短辺側面に扉８２ｂが形成され、シェルター本体８１の上面にはハッチ８３ｂが形成され、シェルター本体８１の長辺側面上部に採光窓８４ｂが複数設けられている。
シェルター本体８１ｂの底面には、収納部８５ｂが形成され、扉８２ｂの入口から収納部８５ｂの床面まで階段が形成されている。
収納部８５ｂは、複数の小部屋に区切られるようにして、防災用品を区分けして収納するようにしてもよい。
また、シェルター本体８１ｂの天板に登ってハッチ８３ｂを開けることができるように、シェルター本体８１ｂの側面にはしご８６が取り付けられている。
【０１２７】
図２４〜２６のシェルターで、ハッチ８３，８３ｂは、内側から開閉できる機構であってもよいし、内側と外側の両方から開閉できる機構であってもよい。
ハッチ８３，８３ｂが、内側からのみ開閉できる構造であれば、採光窓８４，８４ｂは外側からの取り外すことができて、その採光窓８４，８４ｂからシェルター本体８１，８１ｂに手を差し込んでハッチ８３，８３ｂのロックを解除して開閉機構を開とし、ハッチ８３，８３ｂを外側から開けることができる構成としておく。
【０１２８】
第５のシェルターにおいても、シェルター本体８１，８１ｂの外側に留め具等を複数取り付けておき、船舶等でけん引可能とし、クレーンで吊り下げ可能として、円滑に救助できるようにしてもよい。
尚、第５のシェルターの収容人数は１０〜２０人程度である。第５のシェルターは、高台への避難場所が遠い海岸沿いの広場、公園、空き地等に設置しておき、災害発生時は直ちに避難できるようにしておくとよい。
【０１２９】
［実施の形態の効果］
本積層構造によれば、発泡体又はコア材３２を第１の繊維系強化材３１ａと第２の繊維系強化材３１ｂで挟み込んで樹脂で接合して積層したものであり、発泡体として、硬質ウレタン、発泡スチロール、ポリエチレン、又はポリプロピレンを用い、コア材として、ペーパーハニカム、アルミハニカム等を用い、繊維系強化材として、ガラス繊維、カーボン繊維、アラミド繊維、バサルト繊維又はバイオマス繊維等を用い、樹脂として、不飽和ポリエステル、ビニルエステル、エポキシ、フェノール、ポリイミド、バイオマス等を用い、Ｌ−ＲＴＭ形成法又はインフュージョン形成法で製造されるものとしているので、避難用シェルターに使用できる強度を持った構造とすることができる効果がある。
【０１３０】
本シェルター（第１のシェルター）１によれば、強化プラスチックの球形をしており、内部及び外部から開閉可能な採光窓１７をハッチ９の近辺に設け、ハッチ９のロック機構９ｃを採光窓１７側に設けたものであり、ハッチ９の開閉のためのヒンジ９ｂの一端がシェルター本体３の出入口７の内側に接続し、そのヒンジ９ｂの他端がハッチ９の内側面に接続されている球型シェルターであり、外部から採光窓１７を開けてその近傍にあるロック機構９ｃを外部から解除できるので、救援作業を容易に行うことができ、ハッチ９が閉じられた状態ではヒンジ９ｂがシェルター本体３の内部に存在することになるため、ヒンジ９ｂがシェルター本体３の外部に設けられている構成よりも強固なものとすることができる効果がある。
【０１３１】
第２のシェルターによれば、シェルター本体４３ａが防水性と十分な強度を備えて水に浮く構成とし、水没するけん引車に対して連結構造がシェルター本体４３ａからけん引車を離脱させるキャンピングトレーラー型シェルターとしているので、けん引車両と一緒に水没するのを防止でき、より確実に避難できる効果がある。
【０１３２】
第３のシェルターによれば、シェルター本体６１において、ハッチ６２の反対側の側面にウェイト部６３を設けたユニットバス型シェルターとしているので、津波等の被害が発生してもウェイト部６３が下側に向き、ハッチ６２が上側を向いて、更に採光窓７１を外側からも開けてハッチ６２のロック機構を解除でき、救助をしやすくできる効果がある。
【０１３３】
第４のシェルターによれば、シェルター本体７５に蓋状のハッチ７６を取り付け、シェルター本体７５の底面にウェイト部７８を設けたベッド型シェルターとしているので、水に浮いた時にもハッチ７６が上側を向くようにすることができ、救助し易いという効果がある。
【０１３４】
第５のシェルターによれば、既存のコンテナを利用して、シェルター本体８１，８１ｂについてコンテナ素材の内壁面又は外壁面、若しくは両壁面に防水性の強化プラスチック製の積層面を形成するようにして、ハッチ８３，８３ｂを設けたコンテナ型シェルターとしているので、コストを掛けずに多くの人員を救助できる効果がある。
【産業上の利用可能性】
【０１３５】
本発明は、シンプルな構造でありながら、地震、水害、さらに紛争等が単独もしくは複合して発生した際に、確実な避難を可能とするために十分な強度を持った避難用シェルターに好適である。
【符号の説明】
【０１３６】
１...避難用シェルター、  ３...シェルター本体、  ３ａ...樹脂層、  ３ｂ，３ｄ，３ｆ...ロービングクロス層、  ３ｃ，３ｅ，３ｇ...チョップストランドマット層、  ４...補強枠板、  ５...避難空間、  ６...つかまり棒、  ７...出入口、  ９...ハッチ、  ９ａ...パッキン、  ９ｂ...ヒンジ、  ９ｃ...ロック機構、  １０...フック、  １１...固定構造、  １１ａ...床板、  １１ｂ...開口、  １１ｃ...収納空間、  １１ｄ...蓋、  １３...ウェイト（容器入り飲料水）、  １５...換気口、  １７...採光窓、  ２１...設置台、  ３１ａ...第１の強化材、  ３１ｂ...第２の強化材、  ３２...発泡体等、  ４０...解除機構、  ４０ａ...操作部、  ４０ｂ...動力伝達部、４１...避難用シェルター、  ４３...浮遊シェルター、  ４３ａ...シェルター本体、  ４３ｂ...車台、  ４３ｄ...水密ドア、  ４３ｅ...救命具、  ４３ｆ...留め具、  ４３ｋ...換気装置、  ４３ｈ...脱出用ハッチ、  ４３ｐ...外側ＦＲＰ層、  ４３ｑ...内側ＦＲＰ層、  ４３ｒ...浮力材層、  ４３ｓ...太陽光パネル、  ４３ｗ...覗き窓、  ４５...連結機構、  ４５ａ...係合部材、  ４５ｂ...可動外れ阻止部材、  ５１...生活空間、  ５３...上方収納空間、  ５５...下方収納空間、  ６１...シェルター本体、  ６２...ハッチ、  ６３...ウェイト部、  ６４...天井部、  ６５...床部、  ６６...浴槽、  ６７...配水管、  ６８...排水口、  ６９...換気管、  ７０...換気口、  ７１...採光窓、  ７５，７５ｂ〜ｆ...シェルター本体と、  ７６，７６ｂ〜ｆ...ハッチ、  ７７...採光窓、  ７８...ウェイト部、  ７９...シャッター部、  ８１，８１ｂ...シェルター本体、  ８２，８２ｂ...扉、  ８３，８３ｂ...ハッチ、  ８４，８４ｂ...採光窓、  ８５...ウェイト部、  ８５ｂ...収納部、  ８６...はしご、  １０１...避難用シェルターシステム、  １０３...移送手段、  １０５...置き台、  １０７...吊り下げ機構、  １０９...昇降機構、  １１１...車両
【図１】
0005602322.tif 000002
【図２】
0005602322.tif 000003
【図３】
0005602322.tif 000004
【図４】
0005602322.tif 000005
【図５】
0005602322.tif 000006
【図６】
0005602322.tif 000007
【図７】
0005602322.tif 000008
【図８】
0005602322.tif 000009
【図９】
0005602322.tif 000010
【図１０】
0005602322.tif 000011
【図１１】
0005602322.tif 000012
【図１２】
0005602322.tif 000013
【図１３】
0005602322.tif 000014
【図１４】
0005602322.tif 000015
【図１５】
0005602322.tif 000016
【図１６】
0005602322.tif 000017
【図１７】
0005602322.tif 000018
【図１８】
0005602322.tif 000019
【図１９】
0005602322.tif 000020
【図２０】
0005602322.tif 000021
【図２１】
0005602322.tif 000022
【図２２】
0005602322.tif 000023
【図２３】
0005602322.tif 000024
【図２４】
0005602322.tif 000025
【図２５】
0005602322.tif 000026
【図２６】
0005602322.tif 000027